(57)【要約】【課題】要介護者が介護用ベッドから飛び出すのを防止しながら、要介護者を起き上がらせることができる介護用ベッドを提供する。【解決手段】介護用ベッド１０は、メインベッド１１、サブベッドユニット１２、ベース１４を備える。サブベッドユニット１２は、第１〜第５サブボード２１〜２５を備える。第１〜第４サブボード２１〜２４が順に回転されると、サブベッドユニット１２は略逆コ字状となる。第１移動ボタン４７ａが操作されると、シーツ４５が第２プーリ４４に巻き取られて、シーツ４５に載せられた要介護者Ｐ１が、メインベッド１１の上から第１サブボード２１の上まで移動する。第５サブボード２５が引き出されて回転されると、要介護者Ｐ１は、第１〜第５サブボード２２〜２５により覆われた状態となり、この状態でサブベッドユニット１２を回転させると、飛び出しを防止しながら、要介護者Ｐ１を起き上がらせることができる。【選択図】図１１
2020014576.tif 000002
【特許請求の範囲】
【請求項１】
要介護者が第１方向に横たわり可能な主床部と、
前記主床部の前記第１方向に直交する第２方向における一側端に、前記第１方向に延びる第１軸線を回転中心として回転可能に連結され、前記主床部に平行な第１平行位置と前記主床部に対して下方に傾斜した第１傾斜位置との間で回転可能で、且つ、前記第１平行位置に位置する場合に、前記第２方向に延びる第２軸線を回転中心として前記主床部の一端側に回転可能に連結された第１副床部と、
前記第１副床部に、前記第１軸線を回転中心として回転可能に連結され、前記第１副床部に平行な第２平行位置と前記第１副床部に対して直交する方向に傾斜した第２傾斜位置との間で回転可能な第２副床部と、
を備え、
前記第１副床部が前記第１平行位置に位置し、前記第２副床部が前記第２傾斜位置に位置する場合に、前記第２副床部により、前記第１副床部の上方を覆うことを特徴とする介護用ベッド。
【請求項２】
請求項１に記載の介護用ベッドにおいて、
前記主床部の上に載せられ、要介護者が載せられるシート部材と、
前記シート部材を、前記主床部の上と、前記第１平行位置に位置する前記第１副床部の上との間で移動させる移動機構と、
を備えることを特徴とする介護用ベッド。
【請求項３】
請求項１又は２に記載の介護用ベッドにおいて、
前記第１副床部は、前記主床部に取り外し可能に連結され、
前記第１副床部を移動可能に支持する支持部を備えることを特徴とする介護用ベッド。
【発明の詳細な説明】
【技術分野】
【０００１】
本発明は、介護用ベッドに関する。
【背景技術】
【０００２】
近年、床部に横たわっている要介護者の介護を容易に行うことができるようにするための介護ベッド、例えば、ベッドに横たわっている要介護者を起き上がらせるための介護用ベッドが知られている（例えば、特許文献１参照）。
【０００３】
特許文献１に記載の介護用ベッド（病院用ベッド）では、要介護者が第１方向に横たわり可能な床部と、床部を、第１方向に直交する第２方向に延びる軸線を回転中心として回転させて傾斜させる傾斜機構とを備え、傾斜機構により床部を傾斜させることで、要介護者を起き上がらせている。
【先行技術文献】
【特許文献】
【０００４】
【特許文献１】特開昭６１−２５５６５７号公報
【発明の概要】
【発明が解決しようとする課題】
【０００５】
特許文献１に記載の介護用ベッドでは、床部を傾斜させて要介護者を起き上がらせた場合に、要介護者の前方や側方を覆うものがないため、要介護者が介護用ベッドから飛び出してしまうことがある。
【０００６】
本発明は、以上の点に鑑み、要介護者が介護用ベッドから飛び出すのを防止しながら、要介護者を起き上がらせることができる介護用ベッドを提供することを目的とする。
【課題を解決するための手段】
【０００７】
本発明の介護用ベッドは、要介護者が第１方向に横たわり可能な主床部と、前記主床部の前記第１方向に直交する第２方向における一側端に、前記第１方向に延びる第１軸線を回転中心として回転可能に連結され、前記主床部に平行な第１平行位置と前記主床部に対して下方に傾斜した第１傾斜位置との間で回転可能で、且つ、前記第１平行位置に位置する場合に、前記第２方向に延びる第２軸線を回転中心として前記主床部の一端側に回転可能に連結された第１副床部と、前記第１副床部に、前記第１軸線を回転中心として回転可能に連結され、前記第１副床部に平行な第２平行位置と前記第１副床部に対して直交する方向に傾斜した第２傾斜位置との間で回転可能な第２副床部と、を備え、前記第１副床部が前記第１平行位置に位置し、前記第２副床部が前記第２傾斜位置に位置する場合に、前記第２副床部により、前記第１副床部の上方を覆うことを特徴とする。なお、第１副床部の上方とは、第１副床部の上方で且つ前記第１副床部に直交する側方の範囲や、第１副床部の上方で第１副床部に対向する範囲を含む。また、第２副床部により、第１副床部の上方で第１副床部に対向する範囲を覆う場合、第２副床部は、第１副床部に回転可能に連結され、上記側方の範囲を覆う側板と、この側板に回転可能に連結され、第１副床部に対向する範囲を覆う上板とを備える構成や、前記側板と前記上板とが一体的に構成された副床ユニットから構成する。さらに、直交とは、直交するものから少しずれた範囲も含む。
【０００８】
本発明によれば、第１副床部を第１平行位置に位置した状態で、第２副床部を第２傾斜位置に位置させることで、第１副床部の上方を覆うので、第１副床部に要介護者を移動させ、第１副床部を、第２軸線を回転中心として回転させて要介護者を起き上がらせた場合にも、要介護者の周囲を覆うことができ、要介護者が介護用ベッドから飛び出すのを防止することができる。
【０００９】
また、前記主床部の上に載せられ、要介護者が載せられるシート部材と、前記シート部材を、前記主床部の上と、前記第１平行位置に位置する前記第１副床部の上との間で移動させる移動機構と、を備えることが好ましい。
【００１０】
この構成によれば、移動機構によりシート部材を移動させることで、シート部材の上に載せられた要介護者を容易に移動させることができる。
【００１１】
さらに、前記第１副床部は、前記主床部に取り外し可能に連結され、前記第１副床部を移動可能に支持する車輪を備えることが好ましい。
【００１２】
この構成によれば、第１副床部の上に要介護者を移動させれば、第１副床部を要介護者の移動用寝台車として使用することができる。これにより、ストレッチャー等の移動用台車から介護用ベッドに要介護者を移動させる手間を省くことができる。
【図面の簡単な説明】
【００１３】
【図１】本発明の実施形態の介護用ベッドを模式的に示す正面図。
【図２】介護用ベッドを示す側面図。
【図３Ａ】メインベッドの前軸部及び後軸部とスライド板の第１〜第４挿通孔とを示す上面図。
【図３Ｂ】スライド板の第１挿通孔がメインベッドの後軸部の真下にあるときのメインベッドの前軸部及び後軸部とスライド板の第１〜第４挿通孔とを示す上面図。
【図３Ｃ】スライド板の第２挿通孔がメインベッドの後軸部の真下にあり、スライド板の第３挿通孔がメインベッドの前軸部の真下にあるときのメインベッドの前軸部及び後軸部とスライド板の第１〜第４挿通孔とを示す上面図。
【図３Ｄ】スライド板の第４挿通孔がメインベッドの前軸部の真下にあるときのメインベッドの前軸部及び後軸部とスライド板の第１〜第４挿通孔とを示す上面図。
【図４】第１サブボードを回転させた状態の介護用ベッドを示す正面図。
【図５】第２サブボードを回転させた状態の介護用ベッドを示す正面図。
【図６】要介護者をメインベッドの上から第１サブボードの上まで移動させた状態の介護用ベッドを示す正面図。
【図７】第３サブボードを回転させた状態の介護用ベッドを示す正面図。
【図８】第４サブボードを回転させ、且つ、保持棒を突出させた状態の介護用ベッドを示す正面図。
【図９】第５サブボードを回転させた状態の介護用ベッドを示す正面図。
【図１０】第５サブボードを回転させた状態の介護用ベッドを示す断面図。
【図１１】サブベッドユニットを回転させた状態の介護用ベッドを示す断面図。
【発明を実施するための形態】
【００１４】
図を参照して、本発明の介護用ベッドの実施形態を説明する。
【００１５】
図１及び図２に示すように、本実施形態の介護用ベッド１０は、要介護者Ｐ１が長手方向（前後方向）である第１方向Ｄ１に横たわり可能なメインベッド１１（主床部）と、メインベッド１１の短手方向（左右方向）である第２方向Ｄ２（第１方向Ｄ１に直交する方向）の左端側（一端側）に、第１方向Ｄ１に延びる第１軸線を回転中心として回転可能に連結されたサブベッドユニット１２と、ベース１４とを備えている。ベース１４の下面には、脚部１６が２個設けられている。
【００１６】
メインベッド１１の左側面には、凸状の前軸部１１ａ及び後軸部１１ｂが設けられている。前軸部１１ａ及び後軸部１１ｂのそれぞれは、円柱部と、円柱部よりも大径の球体部とを備える。また、メインベッド１１には、要介護者Ｄ１の汗等が浸透することがある。そこで、メインベッド１１の内部には、メインベッド１１の内部の水分を外部に排出し、さらに、メインベッド１１の内部に向けて例えば温風を送るための多数のノズルが設けられている。なお、排出用のノズルと、送風用のノズルとは別に設けるようにしてもよい。
【００１７】
サブベッドユニット１２は、サブベース２０と、第１〜第５サブボード２１〜２５とを備える。サブベース２０には、下面から上方に凹んだ前凹部２０ａ及び後凹部２０ｂが形成されており、前凹部２０ａ及び後凹部２０ｂに、メインベッド１１の前軸部１１ａ及び後軸部１１ｂが挿入されている。
【００１８】
前凹部２０ａ及び後凹部２０ｂは、上面視で前軸部１１ａ及び後軸部１１ｂと同じ形状で前軸部１１ａ及び後軸部１１ｂより僅かに大きいサイズで形成されている。これにより、サブベース２０は、前軸部１１ａ及び後軸部１１ｂの一方を回転中心として（第２方向Ｄ２に延びる第２軸線を回転中心として）、メインベッド１１に回転可能に取り付けられる。
【００１９】
第１サブボード２１（第１副床部）は、周知のヒンジ３１によりサブベース２０に回転可能に取り付けられ、メインベッド１１に平行な第１平行位置（図４参照）とメインベッド１１に対して下方に傾斜した第１傾斜位置（図１参照）との間で回転可能に設けられている。第１サブボード２１には、受け板２７がヒンジ（図示せず）により回転可能に取り付けられている。受け板２７は、第１サブボード２１に収納された位置（図２参照）と突出した位置（図１０及び図１１参照）との間で回転する。
【００２０】
第２サブボード２２（第２副床部）は、周知のヒンジ３２により第１サブボード２１に回転可能に取り付けられ、第１サブボード２１に平行な第２平行位置（図１参照）と第１サブボード２１に対して直交する方向に傾斜した第２傾斜位置（図５参照）との間で回転可能に設けられている。
【００２１】
第３サブボード２３（第２副床部）は、周知のヒンジ３３により第２サブボード２２に回転可能に取り付けられ、第２サブボード２２に平行な第３平行位置Ａ（図１参照）と第２サブボード２２に対して直交する方向に傾斜した第３傾斜位置Ａ（図７参照）との間で回転可能に設けられている。
【００２２】
第４サブボード２４（第２副床部）は、周知のヒンジ３４により第３サブボード２３に回転可能に取り付けられ、第２サブボード２２に平行な第３平行位置Ｂ（図１参照）と第２サブボード２２に対して直交する方向に傾斜した第３傾斜位置Ｂ（図８参照）との間で回転可能に設けられている。
【００２３】
第３サブボード２３及び第４サブボード２４のそれぞれには、要介護者Ｐ１の腕と胴体との間（脇の下）に挿入されて、要介護者Ｐ１を保持する例えば円柱状の保持バー２９（図８〜図１１参照）がヒンジ（図示せず）により回転可能に取り付けられている。保持バー２９は、第３サブボード２３及び第４サブボード２４から突出しない密着した位置と、第３サブボード２３及び第４サブボード２４から突出した位置（図８〜図１１参照）との間で回転可能に設けられ、通常時には、第３サブボード２３及び第４サブボード２４から突出しない位置にある。
【００２４】
第４サブボード２４は筒状に形成され、内部に第５サブボード２５（第２副床部）が移動可能に収納されている。第５サブボード２５には、周知のヒンジ３５が取り付けられ、第５サブボード２５が第４サブボード２４から突出すると、ヒンジ３５が第４サブボード２４の内部で位置決めされる。
【００２５】
これにより、第５サブボード２５が第４サブボード２４に回転可能に支持された状態となり、第５サブボード２５は、第４サブボード２４に平行な第４平行位置（図１参照）と第４サブボード２４に対して直交する方向に傾斜した第４傾斜位置（図９参照）との間で回転可能となる。なお、第２〜第５サブボード２２〜２５は、柔らかい素材（例えば、ゴム）から構成され、要介護者Ｐ１を覆ったときに圧迫感が無く、周囲を視認することができるようにメッシュ状に形成されている。なお、第２〜第５サブボード２２〜２５のメッシュの網目サイズは、例えば、介護者の手を挿入可能なサイズで形成されている。
【００２６】
第１サブボード２１には、第１〜第４アーム３７ａ〜３７ｄ（支持部）の根元部がヒンジ（図示せず）により回転可能に取り付けられている（図４参照）。第１〜第４アーム３７ａ〜３７ｄの先端部には、ローラ３８ａ〜３８ｄ（支持部）が回転可能に取り付けられている。
【００２７】
メインベッド１１の図１における右側面には、第１モータ４１が取り付けられている。第２サブボード２２の図１における左側面には、第２モータ４２が取り付けられている。なお、モータの数や配置は適宜変更可能である。
【００２８】
第１モータ４１の回転軸には第１プーリ４３が取り付けられ、第２モータ４２の回転軸には第２プーリ４４が取り付けられている。第１プーリ４３には、要介護者が載せられるシーツ４５（シート部材）の一端（右端）に取り付けられたワイヤが固定され、第２プーリ４４には、シーツ４５の他端が固定されている。シーツ４５は、メインベッド１１の上に載せられ、図１における第１サブボード２１と第２サブボード２２との間を挿通されている。本実施形態では、シーツ４５を移動させる移動機構は、第１，第２モータ４１，４２と、第１，第２プーリ４３，４４とを備えて構成されている。
【００２９】
右側の脚部１６の右側面には、介護者によって操作可能な第１移動ボタン４７ａ、及び第２移動ボタン４７ｂが設けられている。各ボタン４７ａ，４７ｂは、介護用ベッド１０の駆動を制御する制御装置４８に接続されている。制御装置４８は、例えば、ＣＰＵやメモリ等を備えて構成されている。なお、各ボタン４７ａ，４７ｂに代えて、同等の機能を有するボタンが設けられたリモコンにより操作するようにしてもよい。この場合、介護用ベッド１０には、リモコンからの信号を受信する受信部が設けられ。この受信部は、制御装置４８に接続される。
【００３０】
サブベース２０の下方には、スライド板５０がスライド可能に取り付けられている。スライド板５０には、前軸部１１ａ及び後軸部１１ｂが挿通可能な第１〜第４挿通孔５０ａ〜５０ｄが形成されている。
【００３１】
ここで、第１〜第４挿通孔５０ａ〜５０ｄと、前軸部１１ａ及び後軸部１１ｂとの位置関係について説明する。
【００３２】
図２及び図３Ａに示すように、通常時には、第１〜第４挿通孔５０ａ〜５０ｄのいずれもが、前軸部１１ａ及び後軸部１１ｂのいずれの真下にない。この初期状態では、スライド板５０を、前軸部１１ａ及び後軸部１１ｂから抜き出す（取り外す）ことができないため、スライド板５０が取り付けられたサブベース２０も、メインベッド１１から取り外すことができない。
【００３３】
図３Ｂに示すように、第１挿通孔５０ａが後軸部１１ｂの真下にあるときに、第３，第４挿通孔５０ｃ，５０ｄは、前軸部１１ａの真下にない。この第１状態では、第１挿通孔５０ａを後軸部１１ｂから抜き取ることができるが、第３，第４挿通孔５０ｃ，５０ｄを前軸部１１ａから抜き取ることができない。したがって、サブベース２０は、前軸部１１ａを中心にして回転可能となる。
【００３４】
図３Ｃに示すように、第２挿通孔５０ｂが後軸部１１ｂの真下にあるときに、第３挿通孔５０ｃが、前軸部１１ａの真下にある。この第２状態では、第２挿通孔５０ｂを後軸部１１ｂから抜き取ることができ、第３挿通孔５０ｃを前軸部１１ａから抜き取ることができる。したがって、スライド板５０が取り付けられたサブベース２０を、メインベッド１１から取り外すことができ、サブベース２０を、メインベッド１１に取り付けることもできる。
【００３５】
図３Ｄに示すように、第４挿通孔５０ｄが、前軸部１１ａの真下にあるとき、第１，第２挿通孔５０ａ，５０ｂは、後軸部１１ｂの真下にない。この第３状態では、第４挿通孔５０ｄを前軸部１１ａから抜き取ることができるが、第１，第２挿通孔５０ａ，５０ｂを後軸部１１ｂから抜き取ることができない。したがって、サブベース２０は、後軸部１１ｂを中心にして回転可能となる。
【００３６】
［サブベッドユニットへの移動制御］
要介護者Ｐ１をメインベッド１１からサブベッドユニット１２に移動させる際の動作について説明する。
【００３７】
図４に示すように、先ず、介護者は、ヒンジ３１を中心にして第１サブボード２１を回転させる。第１サブボード２１が回転されると、第１〜第４アーム３７ａ〜３７ｄが回転し、第１サブボード２１から突出する。そして、完全に突出すると、第１〜第４アーム３７ａ〜３７ｄの先端部に取り付けられたローラ３８ａ〜３８ｄが、地面に接地する。これにより、サブベッドユニット１２が、メインベッド１１とは独立して設けられた状態となる。
【００３８】
次に、図５に示すように、介護者は、ヒンジ３２を中心にして第２サブボード２２を回転させる。この状態では、サブベッドユニット１２は略Ｌ字状となる。また、介護者は、受け板２７を、第１サブボード２１から突出した位置（図５、図１０及び図１１参照）まで回転させる。なお、図６〜図９では、受け板２７の図示を省略している。
【００３９】
そして、介護者は、第１移動ボタン４７ａを操作する。第１移動ボタン４７ａが操作されると、制御装置４８に第１移動信号が入力される。
【００４０】
制御装置４８は、第１移動信号が入力されると、第１プーリ４３が図５における反時計方向に回転するように第１モータ４１を駆動し、第２プーリ４４が図５における時計方向に回転するように第２モータ４２を駆動する。
【００４１】
この制御により、図６に示すように、シーツ４５が第２プーリ４４に巻き取られて、シーツ４５に載せられた要介護者Ｐ１が、メインベッド１１の上から、第１サブボード２１の上まで移動する。この場合、メインベッド１１の上には、シーツ４５の右端に接続されたワイヤが、第１プーリ４３から引き出されて載せられている。
【００４２】
要介護者Ｐ１が、メインベッド１１の上から、第１サブボード２１の上まで移動した後、介護者は、シーツ４５の右端に接続されたワイヤを取り外す。これにより、サブベッドユニット１２の後述する回転によりシーツ４５が捩れることがない。なお、図１、図４及び図５の状態では、シーツ４５の右端に取り外し可能に接続されたワイヤが第１プーリ４３に巻き取られた状態となっている。
【００４３】
［シーツ交換動作］
シーツ４５を交換する場合、介護者は、図７に示すように、ヒンジ３３を中心にして第３サブボード２３を回転させる。
【００４４】
次に、図８に示すように、介護者は、ヒンジ３４を中心にして第４サブボード２４を回転させる。この状態では、サブベッドユニット１２は略逆コ字状となる。また、介護者は、保持バー２９を、第３サブボード２３及び第４サブボード２４から突出した位置まで回転させ、保持バー２９を要介護者Ｐ１の脇の下に挿入させる。
【００４５】
そして、図９に示すように、介護者は、第５サブボード２５を、第４サブボード２４の中から引き出す。第５サブボード２５は、引き出されると、ヒンジ３５が第４サブボード２４の内部で位置決めされる。この状態で、ヒンジ３５を中心にして第５サブボード２５を回転させる。これにより、サブベッドユニット１２は略ロ字状となり、要介護者Ｐ１は、第２〜第５サブボード２２〜２５により覆われた状態となる。
【００４６】
次に、介護者は、図１０に示すように、スライド板５０を後方向にスライドさせて、第１挿通孔５０ａを後軸部１１ｂの真下に位置させる。この状態では、第３，第４挿通孔５０ｃ，５０ｄは、前軸部１１ａの真下にないので、第１挿通孔５０ａを後軸部１１ｂから抜き取ることができるが、第３，第４挿通孔５０ｃ，５０ｄを前軸部１１ａから抜き取ることができない。したがって、サブベース２０は、前軸部１１ａを中心にして回転可能となる。
【００４７】
そして、介護者は、図１１に示すように、サブベース２０を、前軸部１１ａを中心にして前方向（図１１における時計方向）に回転させる。サブベース２０が回転されると、サブベース２０及び第１〜第５サブボード２１〜２５を備えるサブベッドユニット１２が回転される。したがって、第１サブボード２１に載せられた要介護者Ｐ１も回転される。
【００４８】
サブベッドユニット１２が、９０°を超えた所定角度（例えば、１００°）回転されると、要介護者Ｐ１は、前方向に移動し、第１サブボード２１から離れて第３サブボード２３に載せられた状態となる。第２〜第５サブボード２２〜２５は、ゴムから構成されているので、要介護者Ｐ１が第３サブボード２３に当接した場合の安全性は確保される。また、要介護者Ｐ１は、要介護者Ｐ１の脇の下に挿入された保持バー２９により保持されているので、起立した状態が保たれる。
【００４９】
要介護者Ｐ１が第１サブボード２１から離れた状態で、介護者は、シーツ４５を交換する。この交換時、介護者は、第２プーリ４４に巻き取られていたシーツ４５を、第２プーリ４４から引き出して、新しいシーツ４５に交換する。
【００５０】
新しいシーツ４５に交換した後、介護者は、サブベッドユニット１２を後方向（図１１における反時計方向）に回転させる。サブベッドユニット１２が、図１０に示す位置まで回転されると、その途中で、要介護者Ｐ１は、後方向に移動し、第３サブボード２３から離れて第１サブボード２１に載せられた状態となる（図９及び図１０参照）。
【００５１】
このように、シーツ４５を交換するために、要介護者Ｐ１を起き上がらせた場合でも、要介護者Ｐ１の周囲を第２〜第５サブボード２２〜２５で覆っているので、要介護者Ｐ１がサブベッドユニット１２から飛び出てしまうことがない。
【００５２】
また、第１移動ボタン４７ａを操作して、第１モータ４１及び第２モータ４２を駆動させるだけで、要介護者Ｐ１を、容易にメインベッド１１の上から第１サブボード２１の上まで移動させることができる。
【００５３】
なお、要介護者Ｐ１を、頭部が前側（図１０における右側）に位置するように、メインベッド１１に横たわらせるようにしてもよく、この場合、スライド板５０を、第４挿通孔５０ｄが前軸部１１ａの真下に位置させて、サブベース２０を、後軸部１１ｂを中心にして回転可能な状態とする。そして、この状態で、サブベッドユニット１２を後方向（図１０における反時計方向）に回転させることで、要介護者Ｐ１を起き上がらせる。この場合に対応するために、受け板２７及び保持バー２９は、対応した位置にも設けられている。
【００５４】
［メインベッドへの移動制御］
要介護者Ｐ１を、第１サブボード２１の上からメインベッド１１の上に移動させる場合、先ず、介護者は、図８に示すように、第５サブボード２５を移動させて第４サブボード２４の中に収納する。
【００５５】
次に、介護者は、新しいシーツ４５の右端に第１プーリ４３に巻回されているワイヤを取り付けた後、第２移動ボタン４７ｂを操作する。第２移動ボタン４７ｂが操作されると、制御装置４８に第２移動信号が入力される。
【００５６】
制御装置４８は、第２移動信号が入力されると、第１プーリ４３が図８における時計方向に回転するように第１モータ４１を駆動し、第２プーリ４４が図８における反時計方向に回転するように第２モータ４２を駆動する。
【００５７】
この制御により、図５に示すように、シーツ４５の右端に接続されたワイヤが第１プーリ４３に巻き取られて、シーツ４５に載せられた要介護者Ｐ１が、第１サブボード２１の上から、メインベッド１１の上まで移動する。
【００５８】
そして、介護者は、第１〜第４サブボード２１〜２４のそれぞれを、順に折りたたんで、図１の状態にする。
【００５９】
このように、第２移動ボタン４７ｂを操作して、第１モータ４１及び第２モータ４２を駆動させるだけで、要介護者Ｐ１を、容易に第１サブボード２１の上からメインベッド１１の上まで移動させることができる。
【００６０】
［起き上がり動作］
要介護者Ｐ１を起き上がらせて、前方に移動させる場合、介護者は、図６の状態で、スライド板５０を後方向にスライドさせて、第１挿通孔５０ａを後軸部１１ｂの真下に位置させ、サブベース２０を、前軸部１１ａを中心にして回転可能にする（図１０参照）。
【００６１】
次に、介護者は、サブベッドユニット１２を所定角度（例えば、８０°）回転させる。これにより、図１１の状態より、サブベッドユニット１２が反時計方向に２０°回転された状態となる（起き上がり動作時には、要介護者Ｐ１の前方に第３，第４サブボード２３，２４はない）。この状態では、要介護者Ｐ１が前方向に移動されることがないので、要介護者Ｐ１の前方に第３，第４サブボード２３，２４がない場合でも、要介護者Ｐ１がサブベッドユニット１２から飛び出ることはない。
【００６２】
そして、介護者は、要介護者Ｐ１を支えながら、サブベッドユニット１２から外部に移動させる。
【００６３】
このように、要介護者Ｐ１を起き上がらせた場合でも、要介護者Ｐ１の一方の側方（左側方）を第２サブボード２２で覆っているので、要介護者Ｐ１がサブベッドユニット１２の一方の側方（左側方）から飛び出てしまうことがない。また、他方の側方（右側方）には、メインベッド１１があるので、要介護者Ｐ１がサブベッドユニット１２の他方の側方（右側方）から飛び出てしまうことがない。
【００６４】
［サブベッドユニット取り外し］
サブベッドユニット１２を、メインベッド１１から取り外す場合、スライド板５０を後方向に移動させ、第２挿通孔５０ｂを後軸部１１ｂの真下に位置させ、第３挿通孔５０ｃを前軸部１１ａの真下に位置させる。この第２状態では、第２挿通孔５０ｂを後軸部１１ｂから抜き取ることができ、第３挿通孔５０ｃを前軸部１１ａから抜き取ることができる。したがって、スライド板５０が取り付けられたサブベース２０を、メインベッド１１から取り外すことができる。
【００６５】
第１サブボード２１には、第１〜第４アーム３７ａ〜３７ｄが取り付けられており、サブベース２０をメインベッド１１から取り外すと、第１〜第４アーム３７ａ〜３７ｄに取り付けられ、地面に接しているローラ３８ａ〜３８ｄを回転させることで、サブベッドユニット１２を移動させることができる。これにより、サブベッドユニット１２を、ストレッチャーとして使用することができる。
【００６６】
なお、上記実施形態では、第２副床部として、第２〜第５サブボード２２〜２５を設けているが、これに限定されることなく、少なくとも第２サブボード２２を設ければよい。
【００６７】
また、第２サブボード２２と第３サブボード２３とを設ける場合にも、第３サブボード２３を図７の状態となるように一体的に第２サブボード２２に設けるようにしてもよい。
【００６８】
上記実施形態では、第１，第２モータ４１，４２及び第１，第２プーリ４３，４４により、シーツ４５を移動させているが、シーツ４５を移動させる機構は適宜変更可能であり、例えば、モータとギアとを備える機構や、バネの付勢によりシーツ４５を移動させる機構でもよい。
【００６９】
上記実施形態では、シーツ４５と、シーツ４５を移動させる第１，第２モータ４１，４２及び第１，第２プーリ４３，４４を設けているが、これらは設けなくてもよく、この場合、介護者が要介護者Ｐ１を移動させる。
【００７０】
上記実施形態では、第１サブボード２１をメインベッド１１から取り外し可能にしているが、取り外し不能に固定するようにしてもよい。
【符号の説明】
【００７１】
１０  介護用ベッド
１１  メインベッド（主床部）
１１ａ  前軸部
１１ｂ  後軸部
１２  サブベッドユニット
２０  サブベース
２１  第１サブボード（第１副床部）
２２〜２５  第２〜第５サブボード（第２副床部）
３７ａ〜３７ｄ  第１〜第４アーム（支持部）
３８ａ〜３８ｄ  ローラ（支持部）
４１，４２  第１，第２モータ
４３，４４  第１，第２プーリ
４５  シーツ（シート部材）
【図１】
2020014576.tif 000003
【図２】
2020014576.tif 000004
【図３Ａ】
2020014576.tif 000005
【図３Ｂ】
2020014576.tif 000006
【図３Ｃ】
2020014576.tif 000007
【図３Ｄ】
2020014576.tif 000008
【図４】
2020014576.tif 000009
【図５】
2020014576.tif 000010
【図６】
2020014576.tif 000011
【図７】
2020014576.tif 000012
【図８】
2020014576.tif 000013
【図９】
2020014576.tif 000014
【図１０】
2020014576.tif 000015
【図１１】
2020014576.tif 000016